(57)【要約】【課題】照準器を備えた小型な撮像装置を提供する。【解決手段】本発明の撮像装置は、本体部、被写体を照明するポップアップ式の発光ユニット、及び凹面状の反射面を有する光学素子と前記反射面に対向する照準光源とを有し、前記照準光源の反射像を形成する照準器、を備え、前記光学素子を発光ユニットとは独立して本体部からポップアップ可能な構成とする。【選択図】図７
2015141296.tif 000002
【特許請求の範囲】
【請求項１】
撮像レンズを保持するレンズ鏡筒、
前記レンズ鏡筒が固定された本体部、
被写体を照明する光源部と、前記撮像レンズの光軸に直交する軸と平行な第１回動軸周りに前記本体部に対して相対的に回動する脚部と、前記脚部の先端に設けられた光源部とを有し、前記脚部が前記本体部の外表面に沿う格納状態と、前記脚部が前記外表面に対して起立し前記光源部が前記本体部から突出する突出状態との間で移動する発光ユニット、及び
凹面状の反射面を有する光学素子と、前記反射面に対向する照準光源とを有し、前記照準光源の反射像を形成する照準器、
を備え、
前記照準器は、前記突出状態である場合において、前記開口部を貫通するように配設されており、
前記光学素子は、前記第１回動軸と平行な回動軸周りに前記本体部に対して相対的に回動する光学素子保持枠によって保持されており、
前記光学素子保持枠は、前記照準器を使用しない場合には前記本体部の外表面に沿う倒伏状態となり、前記照準器を使用する場合には前記外表面に対して起立する起立状態となる撮像装置であって、
前記発光ユニットのみを前記格納状態から前記突出状態に移動させる操作と、前記発光ユニットを前記格納状態から前記突出状態に移動させ、同時に前記光学素子保持枠を前記倒伏状態から前記起立状態に移動させる操作とが可能なこと
を特徴とする撮像装置。
【請求項２】
前記発光ユニットを前記格納状態から前記突出状態に移動させる方向に付勢する第１付勢部材と、
前記光学素子保持枠を前記倒伏状態から前記起立状態に移動させる方向に付勢する第２付勢部材と、
前記発光ユニットと係合し、前記発光ユニットを前記格納状態に留める第１係止部と、
前記光学素子保持枠と係合し、前記光学素子保持枠を前記倒伏状態に留める第２係止部と、
前記本体部の外表面に露出し、前記第１係止部を移動させ前記第１係止部と前記発光ユニットとの係合を解除する操作を入力する第１レバーと、
前記本体部の外表面に露出し、前記第１係止部及び前記第２係止部を同時に移動させ前記第１係止部と前記発光ユニットとの係合及び前記第２係止部と前記光学素子保持枠との係合を解除する操作を入力する第１レバーと、
を備えることを特徴とする請求項１に記載の撮像装置。
【発明の詳細な説明】
【技術分野】
【０００１】
本発明は、照準器を備える撮像装置に関する。
【背景技術】
【０００２】
デジタルカメラやデジタルビデオカメラ等の撮像装置において望遠撮影を行う場合、ファインダーやライブビュー表示の視野が狭くなるため、所望の被写体を撮影範囲内に導入することが困難となる。
【０００３】
このため、例えば特表２００１−５００９９０号公報に開示されているような、被写体を拡大しない照準器を撮像装置のホットシュー等に取り付けて、被写体の導入を容易とする手法が知られている。
【先行技術文献】
【特許文献】
【０００４】
【特許文献１】特表２００１−５００９９０号公報
【発明の概要】
【発明が解決しようとする課題】
【０００５】
撮像装置の可搬性の向上を目指す場合、特表２００１−５００９９０号公報に開示されているような照準器を撮像装置に組み込むことが考えられる。この場合、照準器を使用しない場合に照準器を格納できる構成が、撮像装置の小型化の観点において好ましい。
【０００６】
本発明は、上述した点に鑑みてなされたものであって、照準器を備えた小型な撮像装置を提供することを目的とする。
【課題を解決するための手段】
【０００７】
本発明の一態様の撮像装置は、撮像レンズを保持するレンズ鏡筒、前記レンズ鏡筒が固定された本体部、被写体を照明する光源部と、前記撮像レンズの光軸に直交する軸と平行な第１回動軸周りに前記本体部に対して相対的に回動する脚部と、前記脚部の先端に設けられた光源部とを有し、前記脚部が前記本体部の外表面に沿う格納状態と、前記脚部が前記外表面に対して起立し前記光源部が前記本体部から突出する突出状態との間で移動する発光ユニット、及び凹面状の反射面を有する光学素子と、前記反射面に対向する照準光源とを有し、前記照準光源の反射像を形成する照準器、を備え、前記照準器は、前記突出状態である場合において、前記開口部を貫通するように配設されており、前記光学素子は、前記第１回動軸と平行な回動軸周りに前記本体部に対して相対的に回動する光学素子保持枠によって保持されており、前記光学素子保持枠は、前記照準器を使用しない場合には前記本体部の外表面に沿う倒伏状態となり、前記照準器を使用する場合には前記外表面に対して起立する起立状態となる撮像装置であって、前記発光ユニットのみを前記格納状態から前記突出状態に移動させる操作と、前記発光ユニットを前記格納状態から前記突出状態に移動させ、同時に前記光学素子保持枠を前記倒伏状態から前記起立状態に移動させる操作とが可能である。
【発明の効果】
【０００８】
本発明によれば、照準器を備えた小型な撮像装置を提供することが可能である。
【図面の簡単な説明】
【０００９】
【図１】発光ユニットが格納状態である撮像装置の前面側の斜視図である。
【図２】発光ユニットが格納状態である撮像装置の左側の側面図である。
【図３】発光ユニットが突出状態である撮像装置の前面側の斜視図である。
【図４】発光ユニットが突出状態である撮像装置の左側の側面図である。
【図５】格納状態である発光ユニット及び倒伏状態である照準器の断面図である。
【図６】突出状態である発光ユニット及び倒伏状態である照準器の断面図である。
【図７】突出状態である発光ユニット及び起伏状態である照準器の断面図である。
【図８】照準器のみを後方から見た斜視図である。
【図９】撮像装置において照準器の使用する状況の一例を説明する図である。
【図１０】照準器を覗いた様子を示す図である。
【図１１】発光ユニット及び光学素子保持枠の操作を行う第１レバー及び第２レバーの構造を示す分解斜視図である。
【図１２】発光ユニット及び照準器の動作の条件を示す表である。
【図１３】照準器のみを前方から見た斜視図である。
【図１４】光源位置変更機構及び照準光源の断面図である。
【図１５】照準器の変形例を示す断面図である。
【発明を実施するための形態】
【００１０】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１１】
図１から図４に、撮像装置１の外観を示す。本実施形態の撮像装置１は、ＣＣＤやＣＭＯＳイメージセンサ等の撮像素子４を保持する本体部１０に、発光ユニット２０及び照準器３０が組み込まれた形態を有する。また、本体部１０には、撮像素子４の受光面上に被写体像を結像する撮像レンズ２を保持するレンズ鏡筒３が固定されている。
【００１２】
撮像装置１は、撮像レンズ２によって結像された光学像を撮像素子４によって電気信号に変換し、当該電気信号に基づく画像データを生成し記録する、いわゆるデジタルカメラである。なお、図示する本実施形態では、撮像装置１は、本体部１０とレンズ鏡筒３とを分離できない形態を有しているが、撮像装置１は、レンズ鏡筒３と本体部１０を分離可能な、いわゆるレンズ交換式の形態を有していてもよい。
【００１３】
なお、以下において、撮像レンズ２の光軸Ｏに平行な軸をＺ軸とし、Ｚ軸に直交する平面上において互いに直交する２つの軸をＸ軸及びＹ軸とする。撮像装置１をいわゆる正立状態に保持した場合において、Ｚ軸及びＸ軸は、水平となる軸であり、Ｙ軸は鉛直となる軸である。Ｘ軸、Ｙ軸及びＺ軸は、各図に適宜に図示する。
【００１４】
また以下において、Ｚ軸に沿う方向について、物体側（被写体側）を前方とし、像側（撮像素子側）を後方とする。また、Ｘ軸に沿う方向について、撮像装置１をいわゆる正立状態に保持した場合において、後方から見て右を向く方向を右方とし、左に向く方向を左方とする。また、Ｙ軸に沿う方向について、撮像装置１をいわゆる正立状態に保持した場合において、上に向く方向を上方とし、下に向く方向を下方とする。なお、これらの方向の呼称は、説明のために便宜的に付すものである。
【００１５】
撮像装置１は、本体部１０に、レンズ鏡筒３、撮像素子４、画像表示装置５、制御装置６、操作部１１、発光ユニット２０及び照準器３０を備えている。また、図示しないが、撮像装置１は、電源となる電池及びフラッシュメモリ等の記録媒体を収容する電池収容室を備えている。なお、電池及びフラッシュメモリの一方もしくは両方は、撮像装置１内に固定される形態であってもよい。
【００１６】
レンズ鏡筒３は、焦点距離を変更可能なズームレンズである撮像レンズ２を保持している。撮像装置１の外観を示す図１から図４のうち、図１及び２は、撮像レンズ２の焦点距離を最も短い状態とした場合を示しており、図３及び図４は、撮像レンズ２の焦点距離を最も長い状態とした場合を示している。なお、図示する本実施形態では撮像レンズ２の焦点距離の変更に伴いレンズ鏡筒３の長さが変化するが、レンズ鏡筒３の長さは固定されていてもよい。レンズ鏡筒３は、電動アクチュエータの動力を用いて撮像レンズ２の焦点距離を変更する構成を有する。
【００１７】
画像表示装置５は、液晶表示装置又はＥＬ表示装置等からなり画像を表示し出力する。画像表示装置５は、本体部１０の後方に向く面に配設されている。なお、画像表示装置５は、ヒンジ機構等を介して本体部１０に取り付けられ、画像を表示する面が本体部１０に対して移動可能であってもよい。
【００１８】
制御装置６は、演算装置（ＣＰＵ）、記憶装置（ＲＡＭ）、補助記憶装置、入出力装置及び電力制御装置等を具備して構成されており、撮像装置１の動作を、所定のプログラムに基づいて制御する。
【００１９】
操作部１１は、例えばレバースイッチ、ダイヤルスイッチ、ボタンスイッチ、タッチセンサ等の、撮像装置１の動作指示を使用者が入力するための複数の操作部材からなる。操作部１１は、レリーズスイッチ１２、電源スイッチ１３、ズーム操作スイッチ１４及び背面スイッチ１５の、本体部１０に設けられた複数のスイッチを含む。なお、操作部１１は、画像表示装置５の画像を表示する面上に設けられたタッチパネルを含んでいてもよい。また、操作部１１の一部は、いわゆるリモートコントローラのように、本体部１０と有線又は無線通信を介して接続された他の電子機器に備えられていてもよい。
【００２０】
発光ユニット２０は、撮影時に被写体を照明するための光を発する光源部２１を備える。本実施形態では、光源部２１は、キセノン管を用いたエレクトロニックフラッシュの形態を有する。なお、光源部２１は、ＬＥＤを用いた形態であってもよい。
【００２１】
発光ユニット２０は、本体部１０の上方に配設されている。より詳細には、発光ユニット２０は、撮像装置１を正立状態とした場合に、レンズ鏡筒３の直上となる位置に配設されている。
【００２２】
また、発光ユニット２０は、図１、図２及び図５に示すように、未使用時には光源部２１を本体部１０内に格納することが可能であり、使用時には、図３、図４及び図６に示すように、格納位置から跳ね上がるように本体部１０から上方に突出する。このような発光ユニット２０の配置構造は、一般にポップアップ式フラッシュやリトラクタブル式フラッシュ等と称される。以下では、発光ユニット２０の図１及び図２に示す状態を、格納状態と称し、図３及び図４に示す状態を突出状態と称するものとする。
【００２３】
具体的に、発光ユニット２０は、本体部１０に対して、Ｘ軸と略平行な第１回動軸２２周りに回動し、当該第１回動軸２２から径方向に延出する脚部２３と、前記脚部２３の先端部２３ａに固定された前カバー部２４と、前カバー部２４内に固定された光源部２１と、を有する。
【００２４】
脚部２３は、第１回動軸２２から前方に延出しており、前カバー部２４及び光源部２１は、第１回動軸２２よりも前方に配置されている。脚部２３は、図１、図２及び図５に示すように本体部１０の上面に沿うように第１回動軸２２を支軸として前方に倒伏した格納状態と、図３、図４及び図６に示すように先端部２３ａが前記格納状態よりも上方に移動した突出状態と、の２つの位置の間で、第１回動軸２２周りに回動する。
【００２５】
脚部２３は、突出状態である場合において脚部２３をＺ軸に沿う方向（光軸Ｏと平行な方向）に貫通する開口部２３ｃを有している。開口部２３ｃ内には、脚部２３が突出状態である場合において、後述する照準器３０が貫通する。
【００２６】
前カバー部２４は、脚部２３が格納状態である場合において光源部２１の上方を覆い、かつ脚部２３が突出状態である場合において光源部２１を前方（被写体に向く方向）に露出する。前カバー部２４は、本実施形態では一例として、上方に向かって凹形状の蓋状の部材であり、脚部２３が格納状態である場合において光源部２１を覆い隠す。なお、格納状態においても光源部２１が外部に露出する形態であってもよい。
【００２７】
後カバー部２５は、脚部２３の先端部２３ａ近傍に設けられた第２回動軸２６周りに回動するように配設されている。第２回動軸２６は、第１回動軸２２と略平行であり、脚部２３が突出状態である場合において開口部２３ｃの上方となる位置に設けられている。
【００２８】
後カバー部２５は、第２回動軸２６周りに回動することにより、開口部２３ｃを開閉する蓋状の部材である。後カバー部２５は、脚部２３が格納状態である場合においては、脚部２３に沿う姿勢となり、開口部２３ｃを塞ぐ。また、後カバー部２５は、脚部２３が突出状態である場合には、後述する照準器３０の動作に応じて、開口部２３ｃを塞いだ状態と、開口部２３ｃを開放した状態と、のいずれかの姿勢をとる。
【００２９】
発光ユニット２０における、脚部２３及び後カバー部２５の構成及び動作の詳細については、後述するものとする。
【００３０】
照準器３０は、照準光源３１、光学素子３２及び光学素子保持枠３３を備える。照準器３０は、一般にドットサイトと称される形態を有する。照準光源３１は、本体部１０の上面であって、光軸Ｏの直上となる位置に配設されている。照準光源３１は、点状の光源であり、本実施形態ではＬＥＤである。
【００３１】
光学素子３２は、光学素子保持枠３３によって保持されている。光学素子保持枠３３は、光学素子３２の周囲を囲む枠状の部材である。図８に示すように、本実施形態では一例として、光学素子保持枠３３は矩形形状を有し、額縁状に光学素子３２の周囲を囲み、光学素子３２を保持する。
【００３２】
光学素子保持枠３３は、照準光源３１よりも前方において、第１回動軸２２と略平行な第３回動軸３４周りに回動する。外形が矩形形状である光学素子保持枠３３の４つの辺のうちの１辺が、第３回動軸３４と略平行に、第３回動軸３４に近接して配設されている。
【００３３】
光学素子保持枠３３は、図５に示すように、本体部１０の上面に沿うように、第３回動軸３４を支軸として前方に倒伏した倒伏状態と、図７に示すように本体部１０の上面から起立した起立状態と、の２つの位置の間で、第３回動軸３３周りに回動する。
【００３４】
図５に示すように、光学素子保持枠３３が倒伏状態であり、かつ発光ユニット２０の脚部２３が格納状態である場合には、光学素子保持枠３３の上方は、前カバー部２４及び後カバー部２５によって覆われる。このため、発光ユニット２０を格納状態とした場合において、光学素子３２への塵埃の付着や、衝撃が加えられることによる光学素子３２の破損を防止することができる。
【００３５】
光学素子３２は、光学素子保持枠３３に保持された状態において、その中心が光軸Ｏの直上に位置する。また、光学素子３２は、光学素子保持枠３３が起立状態である場合において、主面が前後方向に面する。
【００３６】
すなわち、図７に示すように、光学素子保持枠３３が起立状態であり、かつ後カバー部２５が開口部２３ｃを開放する位置に位置している場合において、光学素子３２は、後方に配設された照準光源３１に対向する主面を有する。以下では、光学素子保持枠３３が起立状態である場合において、照準光源３１に対向する主面を背面３２ａとする。
【００３７】
また、光学素子３２は、光学素子保持枠３３が起立状態である場合において、脚部２３の開口部２３ｃよりも前方に位置する。よって、図７及び図９に示すように、光学素子保持枠３３が起立状態であり、かつ後カバー部２５が開口部２３ｃを開放する位置に位置している場合においては、撮像装置１の使用者は、光学素子３２の背面３２ａを、撮像装置１の後方から開口部２３ｃを通して覗き見ることができる。なお、光学素子保持枠３３が回動する機構の詳細については後述するものとする。
【００３８】
光学素子３２は、透明なガラスや樹脂等の部材からなり、少なくとも背面（反射面）３２ａが放物面形状もしくは放物面に近似した凹面形状に形成されている。そして背面３２ａは、ハーフミラー、または可視光波長域中の一部となる所定の波長域の光を反射し、他の波長域の光を透過するダイクロイックミラーとして形成されている。
【００３９】
光学素子保持枠３３が起立状態である場合において、照準光源３１が放物面である背面３２ａの焦点近傍に位置する。光学素子３２の背面３２ａは、照準光源３１から出射された光を、光軸Ｏに平行かつ後方に向かって反射する。
【００４０】
本実施形態では、背面３２ａはダイクロイックミラーとして形成されており、背面３２ａは、照準光源３１が発する光の波長が含まれる所定の波長帯域の光を反射し、他の波長帯域の光を透過する。より具体的には、本実施形態の照準光源３１は赤色の光を発するＬＥＤであって、背面３２ａは、前記照準光源３１が発する赤色の波長帯域を反射する。すなわち、本実施形態の光学素子３２は、青色及び緑色の波長帯域の光を透過する。
【００４１】
したがって、図７及び図９に示すように、光学素子３２の背面３２ａによって反射された照準光源３１が発する光の光路上に、撮像装置１の使用者の視点が位置した場合には、使用者は、図１０に示すように、点状の照準光源３１の反射像と、光学素子３２を透過した撮像装置１の前方にある被写体像とを重ねて視認することができる。ここで、使用者によって視認される照準光源３１の光は、光軸Ｏと平行であるから、被写体像と照準光源３１の反射像とが重なる箇所が、撮像装置１の撮像範囲の中心と略一致する。よって、使用者は、照準器３０を用いて、被写体を撮像装置１の撮像範囲内に捉えることができる。なお、照準光源３１の反射像は、点状ではなく、十字形状や目盛形状等であってもよい。
【００４２】
次に、本体部１０に対して移動可能に配設された、発光ユニット２０、後カバー部２５及び光学素子保持枠３３の構成と移動の動作について説明する。
【００４３】
発光ユニット２０は、前述のように、脚部２３の基端部２３ｂにおいて、第１回動軸２２周りに、本体部１０に対して相対的に回動する。図５から図７の断面図に示すように、脚部２３は、第１回動軸２２周りに配設されたねじりコイルバネ２７によって、格納状態から突出状態に向かって回動する方向に付勢されている。すなわち、ねじりコイルバネ２７は、発光ユニット２０を本体部１０から上方に向かって起立する方向に向かって付勢する。脚部２３が、ねじりコイルバネ２７の付勢力により本体部１０に設けられた図示しないストッパに突き当たることにより、突出状態における脚部２３の位置決めがなされる。
【００４４】
脚部２３が格納状態である場合において、前カバー部２４の下方となる位置には、フック部２４ａが形成されている。フック部２４ａは、本体部１０に設けられた後述する第１係止爪１０ａと係合する形状を有する。フック部２４ａと第１係止爪１０ａとは、図５に示すように脚部２３が格納状態である場合に係合する。
【００４５】
すなわち、フック部２４ａと第１係止爪１０ａとが係合した状態では、脚部２３は格納状態のまま保持され、発光ユニット２０は倒伏した姿勢を維持する。そして、フック部２４ａと第１係止爪１０ａとの係合が解除されると、格納状態であった脚部２３は、ねじりコイルバネ２７の付勢力によって、突出状態へ移動する。
【００４６】
フック部２４ａと第１係止爪１０ａとの係合の解除は、使用者による第１レバー１０ｃの操作によって行われる。第１レバー１０ｃは、図１及び図２に示すように、本体部１０の上面であって、格納状態である光学ユニット２０の左側方となる位置に配設されている。
【００４７】
図１１に示すように、第１レバー１０ｃは、前後方向に移動可能なスライド式のレバーである。第１レバー１０ｃの後方には、後述する第２レバー１０ｄが配設されている。第１係止爪１０ａは、第１レバー１０ｃ及び第２レバー１０ｄとは独立して移動可能に配設されている。第１係止爪１０ａは、ばね等の付勢部材によって、フック部２４ａとの係合を保つ方向に付勢されている。
【００４８】
第１レバー１０ｃと第１係止爪１０ａとは、カム部１０ｅを介して係合しており、第１レバー１０ｃが前方に移動することによって、第１係止爪１０ａはフック部２４ａとの係合を解除する方向に移動する。したがって、脚部２３が格納状態である場合（図５の状態）に、第１レバー１０ｃを前方に移動させれば、フック部２４ａと第１係止爪１０ａとの係合が解除され、脚部２３は突出状態に移動する（図６の状態）。
【００４９】
脚部２３を突出状態から格納状態に移動させる場合には、使用者は発光ユニット２０を下方に押圧し、第１係止爪１０ａとフック部２４ａとを係合させる。
【００５０】
また、本体部１０には、脚部２３が格納状態に位置しているか否かを検出する第１センサ１６が配設されている。本実施形態では一例として、第１センサ１６は、第１回動軸２２の近傍に配設されたフォトインタラプタである。脚部２３の基端部２３ｂには、第１回動軸２２に直交する方向に向かって突出する遮光片２３ｄが形成されている。
【００５１】
遮光片２３ｄは、図５に示すように、脚部２３が格納状態である場合において、フォトインタラプタである第１センサ１６によって検出される位置に設けられている。撮像装置１の制御装置６は、第１センサ１６から出力される信号に基づいて、脚部２３が格納状態であるか否かを判定する。
【００５２】
後カバー部２５は、前述のように、第２回動軸２６周りに、脚部２３に対して相対的に回動する。後カバー部２５は、第２回動軸２６周りに配設されたねじりコイルバネ２８によって、開口部２３ｃを塞ぐ方向へ付勢されている。
【００５３】
後カバー部２５には、起立状態である光学素子保持枠３３と当接する当接部２５ａが設けられている。当接部２５ａが起立状態である光学素子保持枠３３と当接した状態では、図７に示すように、後カバー部２５は、開口部２３ｃを開放する状態に位置する。
【００５４】
したがって、光学素子保持枠３３が倒伏状態である場合には、図５または図６に示すように、脚部２３の位置に関わらず、後カバー部２５は、ねじりコイルバネ２８の付勢力によって、開口部２３ｃを塞ぐ状態に位置する。一方、光学素子保持枠３３が起立状態である場合には、図７に示すように、後カバー部２５は、光学素子保持枠３３によって下方から押されることにより、開口部２３ｃを開放する状態に位置する。すなわち、後カバー部２５は、光学素子保持枠３３の回動に従って回動する。
【００５５】
光学素子保持枠３３は、前述のように、第３回動軸３４周りに、本体部１０に対して相対的に回動する。光学素子保持枠３３は、第３回動軸３４周りに配設されたねじりコイルバネ３５によって、倒伏状態から起立状態に向かって回動する方向に付勢されている。光学素子保持枠３３は、ねじりコイルバネ３５の付勢力により本体部１０に設けられたストッパ３６（図７に図示）に突き当たる。光学素子保持枠３３がストッパ３６に突き当たることによって、光学素子保持枠３３の起立状態における位置決めがなされる。
【００５６】
図８に示すように、光学素子保持枠３３の外側側面には、側方に突出するフック部３３ａが形成されている。フック部３３ａは、本体部１０に設けられた後述する第２係止爪１０ｂと係合する形状を有する。フック部３３ａと第２係止爪１０ｂとは、光学素子保持枠３３が倒伏状態である場合に係合する。
【００５７】
すなわち、フック部３３ａと第２係止爪１０ｂとが係合した状態では、図５に示すように、光学素子保持枠３３は倒伏状態のまま保持される。そして、フック部３３ａと第２係止爪１０ｂとの係合が解除されると、倒伏状態であった光学素子保持枠３３は、ねじりコイルバネ３５の付勢力によって、起立状態へ移動する。
【００５８】
フック部３３ａと第２係止爪１０ｂとの係合の解除は、使用者による第２レバー１０ｄの操作によって行われる。図１１に示すように、第２レバー１０ｄは、前後方向に移動可能なスライド式のレバーである。
【００５９】
第２係止爪１０ｂは、第２レバー１０ｄに対する相対位置が固定されており、第２レバー１０ｄと共に前後方向に移動する。第２レバー１０ｄ及び第２係止爪１０ｂは、ばね等の付勢部材によって、フック部３３ａとの係合を保つ方向（本実施形態では前方）に付勢されている。
【００６０】
また、第２レバー１０ｄと第１係止爪１０ａとは、カム部１０ｆを介して係合しており、第２レバー１０ｄが後方に移動することによって、第１係止爪１０ａはフック部２４ａとの係合を解除する方向に移動する。
【００６１】
したがって、脚部２３は格納状態である場合（図５の状態）に、第２レバー１０ｄを後方に移動させれば、フック部２４ａと第１係止爪１０ａとの係合が解除されると共に、フック部３３ａと第２係止爪１０ｂとの係合が解除され、脚部２３が突出状態となり、かつ光学素子保持枠３３が起立状態となる（図７の状態）。また、脚部２３が突出状態であり、かつ光学素子保持枠３３が倒伏状態である場合（図６の状態）に、第２レバー１０ｄを後方に移動させれば、フック部３３ａと第２係止爪１０ｂとの係合が解除され、光学素子保持枠３３が起立状態となる（図７の状態）。
【００６２】
前カバー部２４の下方には、カム部２４ｂが設けられている。カム部２４ｂは、発光ユニット２０が突出状態から格納状態に移動する際に、起立状態である光学素子保持枠３３に当接することによって、光学素子保持枠３３を倒伏状態に移動させる部位である。光学素子保持枠３３が起立状態である場合に、使用者が発光ユニット２０を下方に押圧すると、光学素子保持枠３３は発光ユニット２０の回動に伴い、倒伏状態に向かって回動する。光学ユニット２０が突出状態から格納状態にまで押し下げられた場合には、フック部３３ａと第２係止爪１０ｂとが係合する。
【００６３】
以上のように、本実施形態の撮像装置１は、撮影時に発光ユニット２０による照明光を用いたい場合には、第１レバー１０ｃを一度操作することによって発光ユニット２０のみを突出状態とすることができ、また、照準器３０を用いたい場合には、第２レバー１０ｄを一度操作することによって、瞬時に発光ユニット２０の下方に配設された照準器３０を使用可能な状態とすることができる。
【００６４】
また、本体部１０には、光学素子保持枠３３が倒伏状態に位置しているか否かを検出する第２センサ１７が配設されている。本実施形態では一例として、第２センサ１７は、第３回動軸３４の近傍に配設されたフォトインタラプタである。光学素子保持枠３３には、第３回動軸３４に直交する方向に向かって突出する遮光片３３ｂが形成されている。
【００６５】
遮光片３３ｂは、図５に示すように、光学素子保持枠３３が倒伏状態である場合において、フォトインタラプタである第２センサ１７によって検出される位置に設けられている。撮像装置１の制御装置６は、第２センサ１７から出力される信号に基づいて、光学素子保持枠３３が倒伏状態であるか否かを判定する。
【００６６】
ここで、図１２に表として示すように、制御装置６は、第１センサ１６及び第２センサ１７から出力される信号に基づいて、発光ユニット２０の光源部２１の発光動作の可否、及び照準器３０の照準光源３１の発光動作の可否を判断する。
【００６７】
具体的には、脚部２３が格納状態である場合、すなわち発光ユニット２０が本体部１０に格納されている場合には、撮影時における光源部２１の発光を禁止し、かつ照準光源３１の発光を停止する。また、脚部２３が突出状態であり、かつ光学素子保持枠３３が倒伏状態である場合には、撮影時における光源部２１の発光を許可し、かつ照準光源３１の発光を停止する。また、脚部２３が突出状態であり、かつ光学素子保持枠３３が起立状態である場合には、撮影時における光源部２１の発光を禁止し、かつ照準光源３１を発光させる。
【００６８】
すなわち、本実施形態の撮像装置１では、照準器３０の使用時には、発光ユニット２０の発光が禁止される。これは、照準器３０を用いて被写体を撮像範囲内に捉えようとする状況は、撮像装置と被写体とが遠く離れており照明光の効果が得られない状況であると思われることや、野生動物を撮影する場合のような照明光の発光を避けたい状況であると思われることによる。なお、照準器３０の使用時における発光ユニット２０の発光禁止は、例えば撮像装置１の動作設定の変更によって解除可能であってもよい。
【００６９】
以上のように、本実施形態では、格納状態である発光ユニット２０の下方に、光学素子保持枠３３及び光学素子３２を倒伏状態で収めることによって本体部１０の小型化が可能であるとともに、必要に応じて１つのレバー（１０ｃまたは１０ｄ）を一度操作するだけで発光ユニット２０及び照準器３０を即座に使用可能とすることができる。このため、発光ユニット２０と照準器３０の使い分けが容易となる。よって照準器３０を備える撮像装置１を小型化する事によって、照準器３０を使用する際の操作が煩雑になってしまうということがない。また、照準器３０が使用可能である場合には、発光ユニット２０の発光が禁止されるため、照準器３０を使用する撮影時に誤って発光ユニット２０を発光させてしまうという誤操作を防ぐことができる。
【００７０】
次に、照準器３０の照準光源３１の位置を調節する光源調整機構４０の構成について説明する。
【００７１】
本実施形態の撮像装置１では、撮像装置１と被写体との距離に応じて変化する撮像レンズ２と照準器３０との間の視差の影響を無くすために、使用者の操作によって照準光源３１の位置を変更することができる。この、以下では、照準器３０の照準光源３１の位置を調節する光源位置変更機構４０の構成について説明する。
【００７２】
照準器３０は、撮像レンズ２の光軸Ｏの直上に位置しているため、照準光源３１を本体部１０に対して上下方向に移動させることによって、前記視差の補正をすることができる。
【００７３】
光源位置変更機構４０は、光源保持部４２、支持軸４３、圧縮コイルバネ４４、カム４５及びツマミ４１を備える。
【００７４】
光源保持部４２は、図１３及び図１４に示すように、基端部４２ａにおいてＸ軸と略平行な支持軸４３周りに回動可能に配設されている。光源保持部４２は、支持軸４３から後方に向かって延出しており、先端部４２ｂにおいて照準光源３１を保持している。また、光源保持部４２には、カムフォロア４２ｃが設けられている。カムフォロア４２ｃは、後述するカム４５と当接する部位である。
【００７５】
カム４５は、Ｘ軸と略平行な軸周りに回動し、カム４５の回動に伴いカムフォロア４２ｃと当接するカム面と回動軸との間の距離が変化するように形成されている。光源保持部４２は、カムフォロア４２が常にカム４５に当接した状態となるように、圧縮コイルバネ４４によってカム４５に近づく方向に付勢されている。すなわち、カム４５が回動することにより、光源保持部４２は支持軸４３周りに回動する。
【００７６】
ツマミ４１は、本体部１０の外面の使用者が触れることができる位置に配設されたダイヤル状の回転する部材である。カム４５は、ツマミ４１の回動に従って回動する。本実施形態では図示するように、ツマミ４１は、照準光源３１の左方において、Ｘ軸と略平行な軸周りに回動可能に配設されている。本実施形態ではツマミ４１の回動は、複数の平歯車からなる減速機構を介してカム４５に伝達される。
【００７７】
以上のような構成を有する光源調整機構４０では、ツマミ４１を回動させることによって、光源保持部４２が支持軸４３周りに回動し、照準光源３１が本体部１０に対して上下方向に移動する
以下に、使用者が撮像レンズ２と照準器３０の視差を補正する場合の操作の一例について説明する。視差補正の操作では、まず、電源スイッチ１３を操作し、撮像装置１の電源をＯＮ状態とする。次に、第２レバー１０ｄを後方に動かし、発光ユニット２０を突出させ、かつ光学素子保持枠３３を起立状態とする。このとき、前述のように照準光源３１の発光が開始される。
【００７８】
次に、ズーム操作スイッチ１４を操作し、撮像レンズ２の焦点距離を最も長い状態（いわゆるテレ端の状態）とする。なお、この操作は行わなくともよい。次に、背面スイッチ１５を操作し、撮像装置１の動作モードを照準器調整動作モードに変更する。この照準器調整動作モードでは、画像表示装置５に表示されるライブビュー表示において、例えば十字線によって撮像範囲の中心が示される。
【００７９】
次に、画像表示装置５に表示されるライブビュー表示と、照準器３０とを比較し、ライブビュー表示における撮像範囲の中心にある被写体に、照準器３０において照準光源３１の像が重なるようにツマミ４１を操作する。ライブビュー表示における撮像範囲の中心にある被写体に照準器３０において照準光源３１の像が重なれば、視差の補正が完了する。
【００８０】
以上に説明した本実施形態の照準器３０を備える撮像装置１では、照準器３０が、発光ユニット２０の下方に配設されており、発光ユニット２０を格納状態とした場合には、光学素子保持枠３３が倒伏状態となることによって、照準器３０は発光ユニット２０の下方に隠れるように格納される。すなわち、発光ユニット２０が備える前カバー部２４が、光学素子保持枠３３及び光学素子３２を格納するためのカバー部材としても機能する。このため、本実施形態では、照準器３０のみを保護するカバー部材が不要となり、撮像装置１を小型化することが可能となる。
【００８１】
そして、本実施形態の撮像装置１では、照準器３０は、光学ユニット２０の脚部２３の開口部２３ｃ内を貫通するように配設されている。また、照準器３０が使用可能な状態、すなわち光学素子保持枠３３が起立状態である場合には、光学素子保持枠３３の起立動作に従って動く後カバー部２５が、照準器３０の上方に位置する。
【００８２】
このように、本実施形態の撮像装置１では、照準器３０が使用可能な状態において、照準器３０の左右に発光ユニット２０の脚部２３が位置し、照準器３０の上方に後カバー部２５が位置することにより、これらの脚部２３及び後カバー部２５が、照準器３０内への不要な光の侵入を防止するフードの役割を果たす。このため、本実施形態では、照準器３０の視認性が向上する。以上のように、本発明によれば、視認性の高い照準器３０を備え、かつ小型な撮像装置１を実現できる。
【００８３】
また、照準器３０が使用可能な状態において、脚部２３及び後カバー部２５によって照準器３０の周囲を囲うことによって、光学素子への塵埃の付着を抑制することができる。また、本実施形態では、脚部２３及び後カバー部２５によって囲まれた照準器３０を覗き込むこととなるため、使用者の視点が自然に照準光源３１の光路上に誘導される。このため、照準器の使用が容易となる。
【００８４】
なお、本発明は、上述した実施形態に限られるものではなく、請求の範囲及び明細書全体から読み取れる発明の要旨或いは思想に反しない範囲で適宜変更可能であり、そのような変更を伴う撮像装置もまた本発明の技術的範囲に含まれるものである。
【００８５】
例えば、図１５に照準器３０の変形例として示すように、照準器３０に光学素子３２を振動させる超音波振動子３７を設ければ、超音波振動子３７を駆動することにより光学素子３２に付着した塵埃を振り落とすことができ、照準器３０の視認性の低下を防止できる。この場合、超音波振動子３７によって光学素子３２の全体を振動させるために、光学素子３２は、ゲル状の樹脂等の弾性を有する部材を介して光学素子保持枠３３に取り付けられることが好ましい。
【００８６】
また、例えば、本発明に係る撮像装置は、いわゆるデジタルカメラ（レンズ交換式を含む）に限らず、撮像機能を備えた双眼鏡や望遠鏡等の形態であったり、携帯通信端末、ゲーム機、デジタルメディアプレーヤー等の撮像機能を備えた電子機器の形態であってもよい。
【符号の説明】
【００８７】
１    撮像装置、
２    撮像レンズ、
３    レンズ鏡筒、
４    撮像素子、
５    画像表示装置、
６    制御装置、
１０    本体部、
１０ａ    第１係止爪、
１０ｂ    第２係止爪、
１０ｃ    第１レバー、
１０ｄ    第２レバー、
１０ｅ    カム部、
１０ｆ    カム部、
１１    操作部、
１２    レリーズスイッチ、
１３    電源スイッチ、
１４    ズーム操作スイッチ、
１５    背面スイッチ、
１６    第１センサ、
１７    第２センサ、
２０    発光ユニット、
２１    光源部、
２２    第１回動軸、
２３    脚部、
２３ａ    先端部、
２３ｂ    基端部、
２３ｃ    開口部
２３ｄ    遮光片、
２４    前カバー部、
２４ａ    フック部、
２４ｂ    カム部、
２５    後カバー部、
２５ａ    当接部、
２６    第２回動軸、
２７    ねじりコイルバネ、
２８    ねじりコイルバネ、
３０    照準器、
３１    照準光源、
３２    光学素子、
３２ａ    放物面、
３３    光学素子保持枠、
３３ａ    フック部、
３３ｂ    遮光片、
３４    第３回動軸、
３５    ねじりコイルバネ、
３６    ストッパ、
３７    超音波振動子、
４０    光源位置変更機構、
４１    ツマミ、
４２    光源保持部、
４２ａ    基端部、
４２ｂ    先端部、
４２ｃ    カムフォロア、
４３    支持軸、
４４    圧縮コイルバネ、
４５    カム。
【図１】
2015141296.tif 000003
【図２】
2015141296.tif 000004
【図３】
2015141296.tif 000005
【図４】
2015141296.tif 000006
【図５】
2015141296.tif 000007
【図６】
2015141296.tif 000008
【図７】
2015141296.tif 000009
【図８】
2015141296.tif 000010
【図９】
2015141296.tif 000011
【図１０】
2015141296.tif 000012
【図１１】
2015141296.tif 000013
【図１２】
2015141296.tif 000014
【図１３】
2015141296.tif 000015
【図１４】
2015141296.tif 000016
【図１５】
2015141296.tif 000017